(57)【要約】      （修正有）【課題】初心者や外国人であっても花札を簡単に扱うことができ、カジノなどにおいても花札を広く活用できるようにする花札プレイングカードを提供する。【解決手段】トランプゲームに利用可能な少なくとも５２枚のカードを有し、カードの少なくとも４８枚に花札の絵柄が描いてある。１月から１２月までの各月を表す花札の絵柄と、１から１２までの各ランクを表すトランプのインデックスとが、それぞれ一対一で対応するように、花札の絵柄がカードに描かれている。ランク１３を表すカード「Ｋ」には、独自に創作した花札風の絵柄が描いてある。このように、花札とトランプを融合させることで、今までにない新たなゲームルールを創作して、多様な遊び方が可能になる。また、外国人観光客などが来訪するカジノでも取り扱うことが可能になる。【選択図】図１
0003190180.tif 000002
【実用新案登録請求の範囲】
【請求項１】
トランプゲームに利用可能な少なくとも５２枚のカードを有し、当該カードの少なくとも４８枚に花札の絵柄が描かれている、ことを特徴とするHANAFUDA Playing Card。
【請求項２】
１月から１２月までの各月を表す花札の絵柄と、１から１２までの各ランクを表すトランプの数字や文字とが、それぞれ対応するように、前記花札の絵柄がカードに描かれている、ことを特徴とする請求項１に記載のHANAFUDA Playing Card。
【請求項３】
トランプのランク１３を表すカードに花札風の絵柄が描かれている、ことを特徴とする請求項２に記載のHANAFUDA Playing Card。
【請求項４】
前記５２枚のカードに加えて、ジョーカーを表す文字やマークが描かれたカードを更に有しており、当該カードに併せて花札風の絵柄が描かれている、ことを特徴とする請求項２又は３に記載のHANAFUDA Playing Card。
【考案の詳細な説明】
【技術分野】
【０００１】
本考案は、カジノや家庭、複数人のグループなどで行われるカードゲームで利用可能なプレイングカードに関するものである。
【背景技術】
【０００２】
日本の伝統的カードゲームとして「花札」が知られている。この花札に用いるプレイングカードには、四季折々の花鳥風月が季節感豊かに描かれているため、古くから我が国のカードゲームの定番として親しまれているほか、外国人観光客の土産としても人気がある。しかしながら、花札は、トランプのようにランクを表す数字や文字が直接的に描かれていないため、花札に不慣れな初心者や外国人にとって扱い難いといった問題が指摘されていた。
【０００３】
また、将来的に我が国においてカジノが合法化された場合には、カジノゲームに花札を利用したゲームを採用することが検討されている。しかしながら、上述したとおり花札にはトランプのようなインデックス（数字や文字）が描かれていないため、花札初心者や外国人観光客にとって、花札の絵柄の判別や点数の把握が困難であるといった問題が指摘されていた。
【考案の概要】
【考案が解決しようとする課題】
【０００４】
上述した問題点に鑑み、本考案の目的は、花札に不慣れな初心者や外国人であっても花札を簡単に扱うことができるようにし、また、外国人観光客らが訪れるカジノなどにおいても花札を広く活用できるにして、プレイングカードのより一層の普及に貢献することにある。
【課題を解決するための手段】
【０００５】
上記目的は、トランプゲームに利用可能な少なくとも５２枚のカード（ハート・ダイヤ・クラブ・スペード各１３枚ずつ４組のカード）を有し、当該カードの少なくとも４８枚に花札の絵柄が描いてあるHANAFUDA Playing Cardによって達成される。「花札の絵柄」とは、市販されている花札（花合せに用いるカルタ）に描かれた季節の花や草木などの絵柄であって、１月から１２月までの各月を表す絵柄である。
【０００６】
このHANAFUDA Playing Cardでは、１月から１２月までの各月を表す花札の絵柄と、１から１２までの各ランクを表すトランプの数字・文字とが、それぞれ一対一の関係で対応するように、前記花札の絵柄がカードに描かれていることが好ましい。この場合、例えば、花札の絵柄をカード片面の中央に描き、さらに、同一面のカードコーナー部にトランプのインデックスを記載する。
【０００７】
またこのHANAFUDA Playing Cardにおいて、トランプのランク１３を表すカード（「Ｋ」のカード）に、独自に創作したオリジナルの花札風の絵柄が描かれていることが好ましい。
【０００８】
さらに、前記５２枚のカードに加えて、ジョーカーを表す文字やマークが描かれたカードを更に有しており、当該カードに併せて独自に創作したオリジナルの花札風の絵柄が描かれていることが好ましい。
【考案の効果】
【０００９】
本考案のHANAFUDA Playing Cardでは、「トランプ」に描かれる数字や文字と「花札」に描かれる絵柄とを融合させているので、当該カードをトランプとして利用できるほか、花札としても利用できる。
また、花札の絵柄に対してトランプの数字や文字などを融合させることで、花札の絵柄の点数が把握し易くなるので、絵柄だけで花札を判別できない外国人らにとっても花札の取り扱いが容易になる。
また、このように花札とトランプを融合させることで、ルール説明が簡単になるので、外国人観光客などが来訪するカジノにおいても取り扱うことが可能になり、プレイングカードの更なる普及が期待できる。
また、花札とトランプを融合させることで、今までにない新たなゲームルールを創作して、多様な遊び方が可能になり、その結果、プレイングカードの更なる普及が期待できる。
【００１０】
また、本考案のHANAFUDA Playing Cardでは、１月から１２月までの各月を表す花札の絵柄と、１から１２までの各ランクを表すトランプの数字・文字・マーク（トランプのA,2-10,J,Q）とが、それぞれ一対一の関係で対応している。このように単にトランプと花札を融合させるだけでなく、トランプのランク順と花札の月順を一致させることで、花札の絵柄を判別困難な外国人らにおいても、花札の点数計算などが容易になる。したがって、我が国において将来的にカジノが合法化した場合において、花札（又はその絵柄）を利用したカードゲームをカジノにおいて採用し易くなる。
【００１１】
また、本考案のHANAFUDA Playing Cardでは、ランク１３を表すカード（トランプの「Ｋ」）に花札風の絵柄が描いてある。これにより、１〜１３のランクのすべてのカード（すなわちトランプのＡからＫのすべて）に、花札の絵柄または花札風の絵柄が描かれるので、Playing Card全体としての美観を統一させることができ、Playing Cardのデザイン面での価値の向上を図ることができる。
【００１２】
また、本考案のHANAFUDA Playing Cardでは、前記５２枚のカードに加えて、更にジョーカーを表す文字やマークが描かれたカードを含んでおり、当該ジョーカーのカードに併せて花札風の絵柄が描かれている。このように花札風の絵柄とともにジョーカーが描かれたカードを含ませることで、トランプで実施可能なあらゆるゲームが可能になるほか、新たに追加した花札風の絵柄を使った新しいゲームルールの創作も期待できる。
【図面の簡単な説明】
【００１３】
【図１】HANAFUDA Playing Cardを構成する一部のカードの表面側を示す図である。（トランプの「Ａ」と花札の１月「松」を融合させたカード。）
【図２】HANAFUDA Playing Cardを構成する一部のカードの表面側を示す図である。（トランプの「２」と花札の２月「梅」を融合させたカード。）
【図３】HANAFUDA Playing Cardを構成する一部のカードの表面側を示す図である。（トランプの「３」と花札の３月「桜」を融合させたカード。）
【図４】HANAFUDA Playing Cardを構成する一部のカードの表面側を示す図である。（トランプの「４」と花札の４月「藤」を融合させたカード。）
【図５】HANAFUDA Playing Cardを構成する一部のカードの表面側を示す図である。（トランプの「５」と花札の５月「菖蒲」を融合させたカード。）
【図６】HANAFUDA Playing Cardを構成する一部のカードの表面側を示す図である。（トランプの「６」と花札の６月「牡丹」を融合させたカード。）
【図７】HANAFUDA Playing Cardを構成する一部のカードの表面側を示す図である。（トランプの「７」と花札の７月「萩」を融合させたカード。）
【図８】HANAFUDA Playing Cardを構成する一部のカードの表面側を示す図である。（トランプの「８」と花札の８月「芒」を融合させたカード。）
【図９】HANAFUDA Playing Cardを構成する一部のカードの表面側を示す図である。（トランプの「９」と花札の９月「菊」を融合させたカード。）
【図１０】HANAFUDA Playing Cardを構成する一部のカードの表面側を示す図である。（トランプの「１０」と花札の１０月「紅葉」を融合させたカード。）
【図１１】HANAFUDA Playing Cardを構成する一部のカードの表面側を示す図である。（トランプの「Ｊ」と花札の１１月「柳」を融合させたカード。）
【図１２】HANAFUDA Playing Cardを構成する一部のカードの表面側を示す図である。（トランプの「Ｑ」と花札の１２月「桐」を融合させたカード。）
【図１３】HANAFUDA Playing Cardを構成する一部のカードの表面側を示す図である。（トランプの「Ｋ」と花札風のオリジナルの絵柄を融合させたカード。）
【図１４】HANAFUDA Playing Cardを構成する一部のカードの表面側を示す図である。（トランプの「ＪＯＫＥＲ」と花札風のオリジナルの絵柄を融合させたカード。）
【考案を実施するための形態】
【００１４】
以下、添付図面に基づいて本考案の実施の形態について説明する。
なお、添付図面では白黒画像で絵柄等を表示しているが、カラーで描いたカードも本願の請求の範囲に含まれる点に留意されたい。
【００１５】
本考案のHANAFUDA Playing Cardは、トランプにも花札にも利用可能なプレイングカードである。本実施形態では、このHANAFUDA Playing Cardは、図１〜図１４に示すように、５４枚一組のカードで構成されている。
【００１６】
この５４枚のカードの表面には、図１〜図１４に示すように、トランプのインデックス（数字・文字・マーク）と併せて花札の絵柄が描かれている。他方側の裏面は（図示を省略）、一般的なトランプや花札と同様に、同一の外観となるような統一デザインが施されている。
【００１７】
図１に示す４種のカードの左上・右下コーナー部には、ランク１を表すＡ（エース）の文字が記載され、併せて、スペード、ハート、クラブ、ダイヤの絵柄マークが描かれている。さらに、一般的な花札に見られる絵柄と同様に、１月を表す「松」の絵柄が描かれている。
【００１８】
図２に示す４種のカードの左上・右下コーナー部には、トランプのランク２を表す数字２が記載され、併せて、スペード、ハート、クラブ、ダイヤの絵柄マークが描かれている。さらに、一般的な花札に見られる絵柄と同様に、２月を表す「梅」の絵柄が描かれている。
【００１９】
図３に示す４種のカードの左上・右下コーナー部には、トランプのランク３を表す数字３が記載され、併せて、スペード、ハート、クラブ、ダイヤの絵柄マークが描かれている。さらに、一般的な花札に見られる絵柄と同様に、３月を表す「桜」の絵柄が描かれている。
【００２０】
図４に示す４種のカードの左上・右下コーナー部には、トランプのランク４を表す数字４が記載され、併せて、スペード、ハート、クラブ、ダイヤの絵柄マークが描かれている。さらに、一般的な花札に見られる絵柄と同様に、４月を表す「藤」の絵柄が描かれている。
【００２１】
図５に示す４種のカードの左上・右下コーナー部には、トランプのランク５を表す数字５が記載され、併せて、スペード、ハート、クラブ、ダイヤの絵柄マークが描かれている。さらに、一般的な花札に見られる絵柄と同様に、５月を表す「菖蒲」の絵柄が描かれている。
【００２２】
図６に示す４種のカードの左上・右下コーナー部には、トランプのランク６を表す数字６が記載され、併せて、スペード、ハート、クラブ、ダイヤの絵柄マークが描かれている。さらに、一般的な花札に見られる絵柄と同様に、６月を表す「牡丹」の絵柄が描かれている。
【００２３】
図７に示す４種のカードの左上・右下コーナー部には、トランプのランク７を表す数字７が記載され、併せて、スペード、ハート、クラブ、ダイヤの絵柄マークが描かれている。さらに、一般的な花札に見られる絵柄と同様に、７月を表す「萩」の絵柄が描かれている。
【００２４】
図８に示す４種のカードの左上・右下コーナー部には、トランプのランク８を表す数字８が記載され、併せて、スペード、ハート、クラブ、ダイヤの絵柄マークが描かれている。さらに、一般的な花札に見られる絵柄と同様に、８月を表す「芒」の絵柄が描かれている。
【００２５】
図９に示す４種のカードの左上・右下コーナー部には、トランプのランク９を表す数字９が記載され、併せて、スペード、ハート、クラブ、ダイヤの絵柄マークが描かれている。さらに、一般的な花札に見られる絵柄と同様に、９月を表す「菊」の絵柄が描かれている。
【００２６】
図１０に示す４種のカードの左上・右下コーナー部には、トランプのランク１０を表す数字１０が記載され、併せて、スペード、ハート、クラブ、ダイヤの絵柄マークが描かれている。さらに、一般的な花札に見られる絵柄と同様に、１０月を表す「紅葉」の絵柄が描かれている。
【００２７】
図１１に示す４種のカードの左上・右下コーナー部には、トランプのランク１１を表すＪ（ジャック）の文字が記載され、併せて、スペード、ハート、クラブ、ダイヤの絵柄マークが描かれている。さらに、一般的な花札に見られる絵柄と同様に、１１月を表す「柳」の絵柄が描かれている。
【００２８】
図１２に示す４種のカードの左上・右下コーナー部には、トランプのランク１２を表すＱ（クイーン）の文字が記載され、併せて、スペード、ハート、クラブ、ダイヤの絵柄マークが描かれている。さらに、一般的な花札に見られる絵柄と同様に、１２月を表す「桐」の絵柄が描かれている。
【００２９】
図１３に示す４種のカードの左上・右下コーナー部には、トランプのランク１３を表すＫ（キング）の文字が記載され、併せて、スペード、ハート、クラブ、ダイヤの絵柄マークが描かれている。さらに、図１〜図１２に示す他のカードとの美観の統一が図れるように、新たに独自に創作した花札風が描かれている。このカードに描かれた花札風の絵柄は、一般的な花札には見られないオリジナルデザインの絵柄であり、他のカードの絵柄と異なるデザインである。ただし、見た者が他のカードと共通の美観を感じ取れるように、美観の統一が図られている。
【００３０】
図１４に示す２種のカードの左上・右下コーナー部には、トランプのＪＯＫＥＲを表す文字が記載されている。さらに、図１〜図１３に示す他のカードとの美観の統一が図れるように、新たに独自に創作した花札風が描かれている。このカードに描かれた花札風の絵柄は、一般的な花札には見られないオリジナルデザインの絵柄であり、他のカードの絵柄と異なるデザインである。ただし、見た者が他のカードと共通の美観を感じ取れるように、美観の統一が図られている。
【００３１】
上述したとおり、本考案のHANAFUDA Playing Cardでは、１月から１２月までの各月を表す花札の絵柄と、１から１２までの各ランクを表すトランプの数字・文字・マークとが、それぞれ一対一で対応するように、花札の絵柄がカードに描かれている。
また、ランク１３を表す「Ｋ」と「ＪＯＫＥＲ」のカードには、新たに独自に創作した花札風の絵柄が描かれており、カード全体としての美観の統一を図っている。
更に本考案のHANAFUDA Playing Cardは、「スーツと絵柄の組み合わせ」に関して次の特徴を備えている。
【００３２】
花札には五光札が含まれており、添付図面に示すとおり、五光札が割り当てられる月は、１月、３月、８月、１１月、１２月となっている。そして、本考案のHANAFUDA Playing Cardでは、五光札は必ずスペードと組み合わせる。具体的には、次のとおりに五光札とスペードを組み合わせる。
・スペードの１  松に鶴
・スペードの３  桜に幕
・スペードの８  芒に月
・スペードのＪ  柳に小野道風
・スペードのＱ  桐に鳳凰
そして、五光札を有さない月にはカス札を割り当てる。
【００３３】
また、花札にはタネ札が含まれており、添付図面に示すとおり、タネ札が割り当てられる月は、２月、４月、５月、６月、７月、８月、９月、１０月、１１月となっている。
。そして、本考案のHANAFUDA Playing Cardでは、タネ札は必ずダイヤと組み合わせる。具体的には、次のとおりにタネ札とダイヤを組み合わせる。
・ダイヤの２  梅に鴬
・ダイヤの４  藤に不如帰
・ダイヤの５  菖蒲に八橋
・ダイヤの６  牡丹に蝶
・ダイヤの７  萩に猪
・ダイヤの８  芒に雁
・ダイヤの９  菊に盃
・ダイヤの１０  紅葉に鹿
・ダイヤのＪ  柳に燕
そして、タネ札を有さない月にはカス札を割り当てる。
【００３４】
また、花札には短冊札が含まれており、添付図面に示すとおり、短冊札が割り当てられる月は、１月、２月、３月、４月、５月、６月、７月、９月、１０月、１１月となっている。そして、本考案のHANAFUDA Playing Cardでは、短冊札は必ずハートと組み合わせる。具体的には、次のとおりに短冊札とハートを組み合わせる。
・ハートの１  松に赤短
・ハートの２  梅に赤短
・ハートの３  桜に赤短
・ハートの４  藤に短冊
・ハートの５  菖蒲に短冊
・ハートの６  牡丹に青短
・ハートの７  萩に短冊
・ハートの９  菊に青短
・ハートの１０  紅葉に青短
・ハートのＪ  柳に短冊
そして、短冊札を有さない月にはカス札を割り当てる。
【００３５】
その他、クローバーは必ずカス札と組み合わせる。
【００３６】
なお、オリジナルデザインの花札風の絵柄が描かれたカード、すなわち、１３を表すカード「Ｋ」については、次のとおりに組み合わせる。
・スペードのＫ  赤富士に相撲に花火
・ダイヤのＫ  赤富士に花火
・ハートのＫ  黒富士に花火
・クローバーのＫ  富士に花火
【００３７】
上述した特徴を具備するHANAFUDA Playing Cardによれば、当該カードをトランプとしても利用できるほか、花札としても利用できる。
また、花札の絵柄に対してトランプのインデックスなどを融合させることで、花札の点数計算などが容易になるので、絵柄だけで花札を判別できない外国人らにとっても花札の取り扱いが容易になる。
また、このように花札とトランプを融合させることで、ルール説明が簡単になるので、外国人観光客などが来訪するカジノにおいても取り扱うことが可能になり、花札の更なる普及が期待できる。
また、花札とトランプを融合させることで、今までにない新たなゲームルールを創作して、多様な遊び方が可能になるので、プレイングカードの更なる普及が期待できる。
【図１】
0003190180.tif 000003
【図２】
0003190180.tif 000004
【図３】
0003190180.tif 000005
【図４】
0003190180.tif 000006
【図５】
0003190180.tif 000007
【図６】
0003190180.tif 000008
【図７】
0003190180.tif 000009
【図８】
0003190180.tif 000010
【図９】
0003190180.tif 000011
【図１０】
0003190180.tif 000012
【図１１】
0003190180.tif 000013
【図１２】
0003190180.tif 000014
【図１３】
0003190180.tif 000015
【図１４】
0003190180.tif 000016
【手続補正書】
【提出日】平成26年1月8日(2014.1.8)
【手続補正１】
【補正対象書類名】実用新案登録請求の範囲
【補正対象項目名】全文
【補正方法】変更
【補正の内容】
【実用新案登録請求の範囲】
【請求項１】
トランプゲームに利用可能な少なくとも５２枚のカードを有し、当該カードの少なくとも４８枚に花札の絵柄が描かれている、ことを特徴とする花札プレイングカード。
【請求項２】
１月から１２月までの各月を表す花札の絵柄と、１から１２までの各ランクを表すトランプの数字や文字とが、それぞれ対応するように、前記花札の絵柄がカードに描かれている、ことを特徴とする請求項１に記載の花札プレイングカード。
【請求項３】
トランプのランク１３を表すカードに花札風の絵柄が描かれている、ことを特徴とする請求項２に記載の花札プレイングカード。
【請求項４】
前記５２枚のカードに加えて、ジョーカーを表す文字やマークが描かれたカードを更に有しており、当該カードに併せて花札風の絵柄が描かれている、ことを特徴とする請求項２又は３に記載の花札プレイングカード。